(57)【特許請求の範囲】
【請求項１】
表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する易切断線を、形の異なる表側易切断線と裏側易切断線とで設け、
前記表側易切断線は、複数の小易切断線が繋ぎ部を介して並んで形成された上表側易切断線と下表側易切断線が上下に並んで配置されてなり、
前記裏側易切断線が前記上表側易切断線と前記下表側易切断線の間に配置されており、
前記小易切断線は、水平方向に向かう直線状の水平部と、上下に対向して設けられた上表側易切断線と下表側易切断線の対向した側の方向に斜めに向かう傾斜部を有しており、この包装袋を引き裂き開封する際に、表フィルムの引き裂き開封線が前記上表側易切断線又は下表側易切断線に誘導され、これら上表側易切断線又は下表側易切断線から逸れた場合にも、これら上表側易切断線と下表側易切断線のいずれか一方に誘導されることを特徴とする包装袋。
【請求項２】
表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する易切断線を、形の異なる表側易切断線と裏側易切断線とで設け、
前記表側易切断線は、複数の小易切断線が繋ぎ部を介して並んで形成された上表側易切断線と下表側易切断線が上下に並んで配置されてなり、
前記裏側易切断線が前記上表側易切断線と前記下表側易切断線の間に配置されており、
前記小易切断線は、水平方向に向かう直線状の水平部と、上下に対向して設けられた上表側易切断線と下表側易切断線の対向した側の方向に斜めに向かう傾斜部を有しており、前記水平部が短く、前記傾斜部が長いことを特徴とする包装袋。
【請求項３】
前記裏側易切断線が、１本あるいは上下に位置する２本の直線で、前記上表側易切断線と前記下表側易切断線の間に配置されていることを特徴とする請求項１又は２に記載の包装袋。
【請求項４】
前記表側易切断線と前記裏側易切断線の左右のシール部の一方あるいは両方に、引き裂き開始部が設けられていることを特徴とする請求項１〜３のいずれかに記載の包装袋。
【請求項５】
前記引き裂き開始部から前記上表側易切断線あるいは前記下表側易切断線に向かう、開封誘導易切断線を有することを特徴とする請求項４に記載の包装袋。
【発明の詳細な説明】
【技術分野】
【０００１】
本発明は、包装袋に関するものである。
【背景技術】
【０００２】
従来から、内容物を収容した包装袋を開封しやすくするために、包装袋の開封予定線の左右両端部、または、いずれかの端部にノッチを設け、開封予定線に直線状のハーフカットを包装袋の表裏２枚のフィルムそれぞれに設けた包装袋があった。これらの包装袋は、ノッチの上下それぞれを指で摘んで、直線状のハーフカットに沿って引っ張ると容易に引き裂かれて開封することができる。
【０００３】
しかし、このような包装袋は容易に開封できるが、内容物を取り出したりするために口を開こうとすると、包装袋の引き裂かれた開封線が、表裏のフィルムで同一位置にあるために、口を開くために、指で表裏のフィルムをそれぞれ摘もうとしても、重なり合った表裏フィルムの間に指を入れることが難しく、容易に口を開くことができなかった。
【０００４】
これを回避するために、表フィルムと裏フィルムに、異なる開封予定線を設けて、開封後の開封線が表裏のフィルムで同一位置にならないようにして、指で摘みやすく、口開きを容易にした包装袋があった。
【０００５】
例えば、ハーフカットにより包装袋の表フィルムと裏フィルムに波形の切れ目線を形成して、表フィルムと裏フィルムの波のピッチを相互に交差するようにするか、あるいは、片側のフィルムのみ波形の変形ミシン目状の切目線を設けて、他方のフィルムには、概略直線状の切目線を形成し、開封後の表フィルムと裏フィルムの開封線が完全には重ならず、開口部の口開きを容易した包装袋があった（特許文献１）。
【０００６】
また、包装袋の表フィルムと裏フィルムのそれぞれ、表側開封予定線と裏側開封予定線をハーフカット線で、包装袋の左右両端より内方に向かって直線状に設け、表側開封予定線は直線の両端を結ぶ、上に凸の曲線を設け、裏側開封予定線は直線の両端を結ぶ、下に凸の曲線を設け、開封後、容易に摘んで開口することができるようにした包装袋があった（特許文献２）。
【０００７】
開口部に再封止手段を有し、再封止手段とトップシール部の間に、易開封手段を設け、易開封手段は、左右サイドシール部外縁に設けた易開封加工部と、表面積層体に設けた上に凸の形状を有する表面ハーフカット線ａと、表面積層体に設けた下に凸の形状を有する表面ハーフカット線ｂと、裏面積層体に設けた直線状の裏面ハーフカット線とからなり、表面ハーフカット線ａと表面ハーフカット線ｂとは、凸部が外側になるように裏面ハーフカット線を中心に上下対称に設けられ、これら２本の表面ハーフカット線は、いずれも左サイドシール部上の１点を始点とし、右サイドシール部上の１点を終点とすることを特徴とする包装袋があった（特許文献３）。
【０００８】
公知文献を以下に示す。
【先行技術文献】
【特許文献】
【０００９】
【特許文献１】特開２００１−２４００７４号公報
【特許文献２】特開２００５−２８９３９６号公報
【特許文献３】特開２０１４−５１３１０号公報
【発明の概要】
【発明が解決しようとする課題】
【００１０】
前述のこれらの包装袋は、表フィルムと裏フィルムに、異なる開封予定線を設けて、開封後の開封線が表裏のフィルムで同一位置にならないようにしているが、必ずしも指で摘みやすくなかったり、引裂いた開封線が、ハーフカット線などの開封予定線から外れてしまったりする恐れがあった。
【００１１】
本発明は上記のような事情に鑑みてなされたもので、開封したときに、表裏のフィルムの開封線がずれて形成され、指で摘みやすく、口開きが容易にできる包装袋を提供することを課題とする。
【課題を解決するための手段】
【００１２】
本発明は係る課題に鑑みなされたものであり、請求項１の発明は、表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する易切断線を、形の異なる表側易切断線と裏側易切断線とで設け、
前記表側易切断線は、複数の小易切断線が繋ぎ部を介して並んで形成された上表側易切断線と下表側易切断線が上下に並んで配置されてなり、
前記裏側易切断線が前記上表側易切断線と前記下表側易切断線の間に配置されており、
前記小易切断線は、水平方向に向かう直線状の水平部と、上下に対向して設けられた上表側易切断線と下表側易切断線の対向した側の方向に斜めに向かう傾斜部を有しており、この包装袋を引き裂き開封する際に、表フィルムの引き裂き開封線が前記上表側易切断線又は下表側易切断線に誘導され、これら上表側易切断線又は下表側易切断線から逸れた場合にも、これら上表側易切断線と下表側易切断線のいずれか一方に誘導されることを特徴とする包装袋である。
また、請求項２の発明は、表フィルムと裏フィルムを重ね合わせ、重ね合わせた前記表フィルムと前記裏フィルムの周縁部をシールした包装袋であって、
前記表フィルムと前記裏フィルムのそれぞれに、開封するための切断を誘導する易切断線を、形の異なる表側易切断線と裏側易切断線とで設け、
前記表側易切断線は、複数の小易切断線が繋ぎ部を介して並んで形成された上表側易切断線と下表側易切断線が上下に並んで配置されてなり、
前記裏側易切断線が前記上表側易切断線と前記下表側易切断線の間に配置されており、
前記小易切断線は、水平方向に向かう直線状の水平部と、上下に対向して設けられた上表側易切断線と下表側易切断線の対向した側の方向に斜めに向かう傾斜部を有しており、前記水平部が短く、前記傾斜部が長いことを特徴とする包装袋である。
【００１３】
本発明の請求項３の発明は、前記裏側易切断線が、１本あるいは上下に位置する２本の直線で、前記上表側易切断線と前記下表側易切断線の間に配置されていることを特徴とする請求項１又は２に記載の包装袋である。
【００１４】
本発明の請求項４の発明は、前記表側易切断線と前記裏側易切断線の左右のシール部の一方あるいは両方に、引き裂き開始部が設けられていることを特徴とする請求項１〜３のいずれかに記載の包装袋である。
【００１５】
本発明の請求項５の発明は、前記引き裂き開始部から前記上表側易切断線あるいは前記下表側易切断線に向かう、開封誘導易切断線を有することを特徴とする請求項４に記載の包装袋である。
【発明の効果】
【００１６】
本発明の包装袋は、開封したときに、表裏のフィルムの開封線がずれて形成され、指で摘みやすく、口開きが容易にできる。
【図面の簡単な説明】
【００１７】
【図１】本発明の包装袋の第１の実施形態を模式的に正面で示した説明図である。
【図２】本発明の包装袋の第２の実施形態を模式的に正面で示した説明図である。
【図３】本発明の包装袋の第３の実施形態を模式的に正面で示した説明図である。
【図４】本発明の包装袋に用いる積層体の一例を模式的に断面で示した説明図である。
【発明を実施するための形態】
【００１８】
＜第１の実施形態＞
以下、本発明を実施するための第１の実施形態につき説明する。
図１は、本発明の包装袋の第１の実施形態を模式的に正面で示した説明図である。
【００１９】
第１の実施形態の包装袋１００は、図１のように、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００２０】
そして、天シール部５の近傍に開封するための切断を誘導する易切断線を設けてある。易切断線は、表フィルム１と裏フィルム２のそれぞれに、形の異なる表側易切断線７と裏側易切断線８とで設け、表側易切断線７は、上表側易切断線７ａと下表側易切断線７ｂが上下に対向して並んで配置されて形成されている。
【００２１】
上表側易切断線７ａや下表側易切断線７ｂは、複数の小易切断線７１が繋ぎ部を介して並んで形成され、小易切断線７１は、水平方向に向かう直線状の水平部７１１と、上下に対向して設けられた上表側易切断線７ａと下表側易切断線７ｂの対向した側の方向に斜めに向かう傾斜部７１２からなっている。
【００２２】
裏側易切断線８は、水平な１本の直線状に形成されている。そして、また、表側易切断線７と裏側易切断線８の左右の左サイドシール部３や右サイドシール部４に、その外端部から内方に向けて引き裂き開始部９が設けられている。また、引き裂き開始部９から上表側易切断線７ａあるいは下表側易切断線７ｂに切断が向かうように、直線状の斜めの開封誘導易切断線７ｃが設けられている。
【００２３】
これらの易切断線は、ハーフカット線で設けられている。そしてこのように、ハーフカット線からなる表側易切断線７が設けられているので、引き裂いて切断した開封線が表側易切断線７から外れることがない。
【００２４】
また、裏側易切断線８も水平に設けられた直線のハーフカット線からなっているので、裏側易切断線８もまた、引き裂いて切断した開封線が外れることがない。
【００２５】
本実施形態では引き裂き開始部９がＶノッチで設けられているがこれに限る必要はなく、他の形状のノッチや切れ込み、あるいは、横方向の短い直線からなる傷加工で設けてもよい。
【００２６】
このように、包装袋１００の表フィルム１の表側易切断線７が、上表側易切断線７ａと下表側易切断線７ｂからなり、上表側易切断線７ａや下表側易切断線７ｂがそれぞれ、前記のような、複数の小易切断線７１が繋ぎ部を介して並んで形成されているので、引き裂き開始部９から引き裂いたときに、表フィルム１の引き裂かれた開封線は、引き裂く人の引き裂く力の掛かり方・方向性に癖があり、上表側易切断線７ａの小易切断線７１に沿って引き裂かれたり、下表側易切断線７ｂの小易切断線７１に沿って引き裂かれたりする。それをその都度考慮・修正して引き裂くことができる。
【００２７】
一方、裏フィルム２は、水平な直線の裏側易切断線８に沿って切り裂かれ、開封線が直線状になるので、表フィルム１の開封線とは異なり、表フィルム１の開封線と裏フィルム２の開封線とは異なり段差ができる。このため、口開きするときに、指で摘みやすく口開きが容易にできる。
【００２８】
＜第２の実施形態＞
以下、本発明を実施するための第２の実施形態につき説明する。
図２は、本発明の包装袋の第２の実施形態を模式的に正面で示した説明図である。
【００２９】
第２の実施形態の包装袋２００は、図２のように、包装袋１００と同様に、表フィルム１と裏フィルム２を重ね合わせ、重ね合わせた表フィルム１と裏フィルム２の周縁部をシ
ールし、左サイドシール部３、右サイドシール部４、天シール部５、底シール部６を設けた包装袋である。
【００３０】
そして、天シール部５の近傍に開封するための切断を誘導する易切断線を設けてある。易切断線は、表フィルム１と裏フィルム２のそれぞれに、形の異なる表側易切断線７と裏側易切断線８とで設け、表側易切断線７は、包装袋１００と同様に、上表側易切断線７ａと下表側易切断線７ｂが上下に並んで配置されて形成されている。
【００３１】
上表側易切断線７ａや下表側易切断線７ｂは、複数の小易切断線７１が繋ぎ部を介して並んで形成され、小易切断線７１は、水平に向かう直線状の水平部７１１と、上下に対向して設けられた上表側易切断線７ａと下表側易切断線７ｂの対向した側の方向に斜めに向かう傾斜部７１２からなっている。
【００３２】
裏側易切断線８は、水平な２本の直線状に形成されている。そして、また、表側易切断線７と裏側易切断線８の左右の左サイドシール部３や右サイドシール部４に、その外端部から内方に向けて引き裂き開始部９が設けられている。また、引き裂き開始部９から上表側易切断線７ａあるいは下表側易切断線７ｂに切断が向かうように、直線状の斜めの開封誘導易切断線７ｃが設けられている。
【００３３】
これらの易切断線は、ハーフカット線で設けられている。そしてこのように、ハーフカット線からなる表側易切断線７が設けられているので、引き裂いて切断した開封線が表側易切断線７から外れることがない。
【００３４】
また、裏側易切断線８も水平に設けられた上下２本の直線のハーフカット線からなっているので、裏側易切断線８もまた、引き裂いて切断した開封線が外れることがない。
【００３５】
本実施形態では引き裂き開始部９が横方向の短い直線からなる傷加工で設けられている。これに限ることなく、引き裂き開始部９をＶノッチやＩノッチなどのノッチや、切れ込みで設けてもよい。
【００３６】
このように、包装袋１００の表フィルム１の表側易切断線７が、上表側易切断線７ａと下表側易切断線７ｂからなり、上表側易切断線７ａや下表側易切断線７ｂがそれぞれ、前記のような、複数の小易切断線７１が繋ぎ部を介して並んで形成されているので、引き裂き開始部９から引き裂いたときに、表フィルム１の引き裂かれた開封線は、引き裂く人の引き裂く力の掛かり方・方向性に癖があり、上表側易切断線７ａの小易切断線７１に沿って引き裂かれたり、下表側易切断線７ｂの小易切断線７１に沿って引き裂かれたりする。それをその都度考慮・修正して引き裂くことができる。
【００３７】
一方、裏フィルム２は、裏側易切断線８の水平な上下２本の直線のいずれかに沿って切り裂かれるので、表フィルム１の開封線とは異なり、表フィルム１の開封線と裏フィルム２の開封線とは異なり段差ができる。このため、口開きするときに、指で摘みやすく口開きが容易にできる。
【００３８】
＜第３の実施形態＞
以下、本発明を実施するための第３の実施形態につき説明する。
図３は、本発明の包装袋の第３の実施形態を模式的に正面で示した説明図である。
【００３９】
第３の実施形態の包装袋３００は、図３のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００４０】
そして、天シール部５の近傍に開封するための切断を誘導する易切断線を設けてある。易切断線は、表フィルム１と裏フィルム２のそれぞれに、形の異なる表側易切断線７と裏側易切断線８とで設け、表側易切断線７は、上表側易切断線７ａと下表側易切断線７ｂが上下に並んで配置されて形成されている。
【００４１】
上表側易切断線７ａや下表側易切断線７ｂは、複数の小易切断線７１が繋ぎ部を介して並んで形成され、小易切断線７１は、水平に向かう直線状の水平部７１１と、上下に対向して設けられた上表側易切断線７ａと下表側易切断線７ｂの対向した側の方向に斜めに向かう傾斜部７１２からなっている。包装袋１００では、水平部７１１が長く、傾斜部７１２が短く形成されていたが、包装袋３００では、水平部７１１が短く、傾斜部７１２が長く形成されている点が異なる。
【００４２】
裏側易切断線８は、水平な１本の直線状に形成されている。そして、また、表側易切断線７と裏側易切断線８の左右の左サイドシール部３や右サイドシール部４に、その外端部から内方に向けて引き裂き開始部９が設けられている。また、引き裂き開始部９から上表側易切断線７ａあるいは下表側易切断線７ｂに切断が向かうように、直線状の斜めの開封誘導易切断線７ｃが設けられている。
【００４３】
これらの易切断線は、ハーフカット線で設けられている。そしてこのように、ハーフカット線からなる表側易切断線７が設けられているので、引き裂いて切断した開封線が表側易切断線７から外れることがない。
【００４４】
また、裏側易切断線８も水平に設けられた直線のハーフカット線からなっているので、裏側易切断線８もまた、引き裂いて切断した開封線が外れることがない。
【００４５】
本実施形態では引き裂き開始部９がＶノッチで設けられているがこれに限る必要はなく、他の形状のノッチや切れ込み、あるいは、横方向の短い直線からなる傷加工で設けてもよい。
【００４６】
このように、包装袋３００の表フィルム１の表側易切断線７が、上表側易切断線７ａと下表側易切断線７ｂからなり、上表側易切断線７ａや下表側易切断線７ｂがそれぞれ、前記のような、複数の小易切断線７１が繋ぎ部を介して並んで形成されているので、引き裂き開始部９から引き裂いたときに、表フィルム１の引き裂かれた開封線は、引き裂く人の引き裂く力の掛かり方・方向性に癖があり、上表側易切断線７ａの小易切断線７１に沿って引き裂かれたり、下表側易切断線７ｂの小易切断線７１に沿って引き裂かれたりする。それをその都度考慮・修正して引き裂くことができる。また、易切断線７１１が短く、易切断線部７１２が長く形成されているので、上表側易切断線７ａから下表側易切断線７ｂへ、あるいは、下表側易切断線７ｂから上表側易切断線７ａへの開封線の移行が起こりやすい。
【００４７】
一方、裏フィルム２は、水平な直線の裏側易切断線８に沿って切り裂かれ、開封線が直線状になるので、表フィルム１の開封線とは異なり、表フィルム１の開封線と裏フィルム２の開封線とは異なり段差ができる。このため、口開きするときに、指で摘みやすく口開きが容易にできる。
【００４８】
以下、使用する材料や加工について説明する。
図４は、本発明の包装袋に用いる積層体の一例を模式的に断面で示した説明図である。
【００４９】
本発明の包装袋の表フィルム１および裏フィルム２は、図４のように、基材層１１１とシーラント層１１２とを貼り合わせた積層フィルム１１０からなっている。基材層１１１やシーラント層１１２は、更に積層された多層になっていてもよい。
【００５０】
基材層１１１には、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度が好ましい。
【００５１】
また、金属や無機物を蒸着した蒸着フィルムを、基材層１１１として用いることもできる。また、これらを組み合わせて、基材層１１１を多層にして設けても良い。さらには、アルミ箔などの金属箔も、多層の基材層１１１の１層として設けることもできる。
【００５２】
シーラント層１１２には、ポリプロピレンや、低密度ポリエチレン、直鎖状低密度ポリエチレン、あるいは、酸変性ポリエチレンなどの熱溶融性樹脂が用いられる。また、シーラント層１１２に多層の共押し出しフィルムを用いても良い。多層の共押し出しフィルムのシーラント層１１２としては、低密度ポリエチレンや高密度ポリエチレンを中間層として、両面に直鎖状低密度ポリエチレンの層を設けたものが好ましく用いられる。
【００５３】
シーラント層１１２の厚さは、内容物の量によって、調整されるものであるが、８０μｍから２００μｍの厚さが好ましく、より好ましくは、１００μｍから１５０μｍが好ましく使用できる。
【００５４】
また、絵柄印刷層を基材層１１１の裏面などに設けることができる。また、多層の基材層１１１の場合は、基材層１１１の最外層のフィルムの裏面に絵柄印刷層を設けることが好ましい。絵柄印刷層を設ける印刷方式は、特に限定するものではないが、通常、グラビア印刷、あるいは、フレキソ印刷が用いられる。
【００５５】
易切断線はハーフカット線で設けることができる。ハーフカット線１１３は、ロール状などの金属刃を用いて、図４（Ａ）のように、表側から基材層１１１に入れることができる。この場合、基材層１１１の途中まで刃が入っていても、基材層１１１を越えて、シーラント層１１２の途中まで刃が入っていてもよい。
【００５６】
また、ハーフカット線１１３を基材層１１１側から照射するレーザー加工で設けることができる。用いるレーザーには炭酸ガスレーザーが好ましく用いられる。ハーフカット線をレーザー加工で設ける場合では、多層の基材層１１１の最外層には設けないようにして、図４（Ｂ）のように、基材層１１１の内側層に設けることもできる。
【００５７】
本発明の包装袋は、説明した各実施形態では４方シール袋であったが、これに限られるものではなく、スタンディングパウチや、天部あるいは地部を折り返した３方シール袋などでもかまわない。サイドシール部の設けられた袋であればよい。
【００５８】
以上のように本発明の包装袋は、表フィルムと裏フィルムのそれぞれに、開封するための切断を誘導する易切断線を、形の異なる表側易切断線と裏側易切断線とで設け、表側易切断線は、上表側易切断線と下表側易切断線が上下に並んで配置されて形成されている。
【００５９】
上表側易切断線や下表側易切断線は、複数の小易切断線が繋ぎ部を介して並んで形成され、小易切断線は、水平に直線状の水平部と、上下に対向して設けられた上表側易切断線と下表側易切断線の対向した側の方向に斜めに向かう傾斜部からなっている。
【００６０】
また、裏側易切断線は、水平な１本または上下２本の直線状に形成されている。そして
、引き裂き開始部から上表側易切断線あるいは下表側易切断線に切断が向かうように、直線状の斜めの開封誘導易切断線が設けられている。
【００６１】
このため、横方向に引き裂いて開封したときに、表フィルムの引き裂かれた開封線は、引き裂く人の引き裂く力の掛かり方・方向性に癖があり、上表側易切断線の小易切断線に沿って引き裂かれたり、下表側易切断線の小易切断線に沿って引き裂かれたりする。開封する人はそれをその都度考慮・修正して引き裂くことができる。
【００６２】
一方、裏フィルムは、表側易切断線と形が異なる裏側易切断線に沿って切り裂かれ、表フィルムの開封線と裏フィルムの開封線とは異なり段差ができる。このため、口開きするときに、指で摘みやすく口開きが容易にできる。
【符号の説明】
【００６３】
１００、２００、３００・・・包装袋
１・・・表フィルム
２・・・裏フィルム
３・・・左サイドシール部
４・・・右サイドシール部
５・・・天シール部
６・・・底シール部
７・・・表側易切断線
７ａ・・・上表側易切断線
７ｂ・・・下表側易切断線
７１・・・小易切断線
７１１・・・水平部
７１２・・・傾斜部
７ｃ・・・開封誘導易切断線
８・・・裏側易切断線
９・・・引き裂き開始部
１１０・・・積層フィルム
１１１・・・基材層
１１２・・・シーラント層
１１３・・・ハーフカット線
【図１】
0006524664.tif 000002
【図２】
0006524664.tif 000003
【図３】
0006524664.tif 000004
【図４】
0006524664.tif 000005